(57)【要約】【課題】対象物の締結とその締結個所への他物の装着とが可能になる装着兼締結用ネジユニット及びその締結個所に照明機器等のポータブル機器を取り付ける装着兼締結用ネジモジュールの提供を目的とする。【解決手段】本発明の装着兼締結用ネジユニットは、雄ネジ部を含む軸部、この軸部の後端に付設される頭部及びこの頭部に凹設される雌ネジ部を有する締結用ネジと、上記雌ネジ部に螺合する雄ネジ部を含む軸部及びこの軸部の後端に付設される頭部を有する装着用ネジとを備える装着兼締結用ネジユニットである。上記締結用ネジの軸部と雌ネジ部を同軸上に形成するとよい。上記締結用ネジの雄ネジ部のピッチ又はネジ径は装着用ネジの雄ネジ部より小さく、締結用ネジの雄ネジ部の長さは装着用ネジの雄ネジ部より大きく形成することが好ましい。上記締結用ネジの頭部における雌ネジ部の底部に回転用の掛合孔を有するとよい。【選択図】図１
2009275867.tif 000002
【特許請求の範囲】
【請求項１】
雄ネジ部を含む軸部、この軸部の後端に付設される頭部及びこの頭部に凹設される雌ネジ部を有する締結用ネジと、
上記雌ネジ部に螺合する雄ネジ部を含む軸部及びこの軸部の後端に付設される頭部を有する装着用ネジと
を備える装着兼締結用ネジユニット。
【請求項２】
上記締結用ネジの軸部と雌ネジ部とが同軸上に形成されている請求項１に記載の装着兼締結用ネジユニット。
【請求項３】
上記締結用ネジの雄ネジ部のピッチが装着用ネジの雄ネジ部のピッチより小さく形成されている請求項１又は請求項２に記載の装着兼締結用ネジユニット。
【請求項４】
上記締結用ネジの雄ネジ部の長さが装着用ネジの雄ネジ部の長さより大きく形成されている請求項１、請求項２又は請求項３に記載の装着兼締結用ネジユニット。
【請求項５】
上記締結用ネジの頭部における雌ネジ部の底部に回転用の掛合孔を有している請求項１から請求項４のいずれか１項に記載の装着兼締結用ネジユニット。
【請求項６】
請求項１から請求項５のいずれか１項に記載の装着兼締結用ネジユニットと、
上記締結用ネジの頭部及び装着用ネジの頭部間に挟持されるポータブル機器用取付台と
を備える装着兼締結用ネジモジュール。
【発明の詳細な説明】
【技術分野】
【０００１】
本発明は、対象物の締結とその締結個所への他物の装着に用いる装着兼締結用ネジユニット及びこの装着兼締結用ネジユニットを用いてその締結個所に照明機器等のポータブル機器を取り付けるための装着兼締結用ネジモジュールに関するものである。
【背景技術】
【０００２】
今日では、照明機器、携帯電話、ＰＤＡ、トランシーバー、ナビゲーション装置、各種アクセサリー機器（例えば携帯用空気入れ等）等のポータブル機器の小型化及び省電力化並びに電池の長寿命化が促進されている。特に、照明機器は、光源としてＬＥＤを使用することで、小型化、軽量化及び省電力化が促進されている。このように小型軽量化及び省電力化したポータブル機器、特に照明機器等を、自転車、自動二輪車、自動車等及びこれらの付属部品に、運転等の際の安全性、便利性、快適性等を目的として又はアクセサリーとして取り付けることが社会的に要請されている。
【０００３】
かかるポータブル機器を自転車等に装着するための従来の取付装置としては、自転車等のハンドル等に巻装するためのホルダー部と、このホルダー部に照明機器等のポータブル機器を装着するための着脱機構とを備えたものが開発されている（例えば特開２００１−２７８１４５号公報、特開２００１−２３３２６４号公報、特開２００２−２８４０６１号公報等参照）。このホルダー部としては、ハンドル等に環装する有端リング状部と、この有端リング状部の端部を締め付けるためのボルト又はフック機構とを備えている。このホルダー部の有端リング状部を自転車のハンドルに環装し、ボルト又はフック機構により有端リング状部を締め付けることで、照明機器等の取付装置を自転車のハンドル等に締結することができる。
【０００４】
一方、上記照明機器等のポータブル機器の装着対象とされるであろうハンドルは、ステムの先端に垂直（Ｔ字状）に締結されている。このようなハンドルの締結には一般的に締結用ネジが使用されている。かかる締結用ネジとしては、雄ネジ部を含む軸部、この軸部の後端に付設される頭部及びこの頭部に凹設される六角孔等の回転用掛合孔を有するものが使用されており、締結面の改良はなされているが、その他の機能の付加等の面での改良は全く意図されていない（例えば特開２００４−２７０７２１号公報等参照）。
【０００５】
このようにハンドルがステム先端にＴ字状に締結されており、その締結手段として軸部と頭部を有する通常の形態の締結用ネジが使用されているため、上記取付装置ではその取付構造からハンドルのＴ字状の連結部分には取り付けられず、左右のパイプ部分に取り付けるしかない。例えば照明機器、速度計測器等のポータブル機器の場合、ハンドルの中央に取り付けた方が使用しやすいが、上述の従来の技術ではハンドルの中央には取り付けることができない。その他にも締結用ネジによる締結個所にポータブル機器を装着したい場合がある。
【特許文献１】特開２００１−２７８１４５号公報
【特許文献２】特開２００１−２３３２６４号公報
【特許文献３】特開２００２−２８４０６１号公報
【特許文献４】特開２００４−２７０７２１号公報
【発明の開示】
【発明が解決しようとする課題】
【０００６】
本発明はこれらの不都合に鑑みてなされたものであり、対象物の締結とその締結個所への他物の装着とが可能になる装着兼締結用ネジユニット及びその締結個所に照明機器等のポータブル機器を取り付けるための装着兼締結用ネジモジュールの提供を目的とするものである。
【課題を解決するための手段】
【０００７】
上記課題を解決するためになされた発明は、
雄ネジ部を含む軸部、この軸部の後端に付設される頭部及びこの頭部に凹設される雌ネジ部を有する締結用ネジと、
上記雌ネジ部に螺合する雄ネジ部を含む軸部及びこの軸部の後端に付設される頭部を有する装着用ネジと
を備える装着兼締結用ネジユニットである。
【０００８】
当該装着兼締結用ネジユニットは、雄ネジ部（軸部）及び頭部を有する締結用ネジにより対象物の締結が可能になる。また、当該装着兼締結用ネジユニットは、締結用ネジに加えて雄ネジ部（軸部）及び頭部を有する装着用ネジを備え、この装着用ネジの雄ネジ部を締結用ネジの頭部の雌ネジ部に螺合可能に構成することで、締結用ネジの頭部と装着用ネジの頭部との間に他物又はその取付機構を挟持することができ、その結果締結個所への他物の装着が可能になる。
【０００９】
上記締結用ネジの軸部と雌ネジ部とを同軸上に形成するとよい。このように締結用ネジの軸部と雌ネジ部を同軸上に形成することで、螺合する締結用ネジと装着用ネジとが同軸になる結果、雄ネジによる通常の締結個所に当該装着兼締結用ネジユニットが適用でき、また他物の装着も容易かつ確実になる。
【００１０】
上記締結用ネジの雄ネジ部のピッチは、装着用ネジの雄ネジ部のピッチより小さく形成することが好ましい。このように締結用ネジの雄ネジ部のピッチを装着用ネジの雄ネジ部のそれより小さくすることで、他物の脱着の際に、締結用ネジ頭部の雌ネジ部に装着用ネジの雄ネジ部を螺入又は螺脱しても、締結用ネジによる締結力が変化してしまうことが抑制される。
【００１１】
また、上記締結用ネジの雄ネジ部の長さは、装着用ネジの雄ネジ部の長さより大きく形成することが好ましい。このように締結用ネジの雄ネジ部の長さを装着用ネジの雄ネジ部の長さより大きくすることで、他物の脱着の際に、締結用ネジ頭部の雌ネジ部に装着用ネジの雄ネジ部を螺入又は螺脱しても、締結用ネジによる締結力が変化してしまうことが抑制される。
【００１２】
上記締結用ネジの頭部における雌ネジ部の底部に回転用の掛合孔を有するとよい。このように締結用ネジ頭部の雌ネジ部の底部に回転用の掛合孔を有することで、レンチを挿入する掛合孔より大きい範囲で締結用ネジの雌ネジ部及び装着用ネジの雄ネジ部のネジ径を自由に設計することができ、装着用ネジの締結を容易かつ確実にすることができる。
【００１３】
上記課題を解決するためになされた別の発明は、
当該装着兼締結用ネジユニットと、
上記締結用ネジの頭部及び装着用ネジの頭部間に挟持されるポータブル機器用取付台と
を備える装着兼締結用ネジモジュールである。
【００１４】
当該装着兼締結用ネジモジュールは、上述のように当該装着兼締結用ネジユニットにより対象物の締結が可能になり、さらに当該装着兼締結用ネジユニットの締結用ネジの頭部及び装着用ネジの頭部間にポータブル機器用取付台を挟持し、このようして締結個所に設置したポータブル機器用取付台に照明機器等のポータブル機器を容易かつ確実に取り付けることができる。
【発明の効果】
【００１５】
以上説明したように、本発明の装着兼締結用ネジユニットは、締結用ネジにより対象物の締結が可能になり、加えて締結用ネジの頭部と装着用ネジの頭部との間に他物又はその取付機構を挟持することで締結個所への他物の装着が可能になる。また、本発明の装着兼締結用ネジモジュールは、当該装着兼締結用ネジユニットの締結用ネジの頭部及び装着用ネジの頭部間にポータブル機器用取付台を挟持し、締結個所に照明機器等のポータブル機器を容易かつ確実に取り付けることができる。従って、当該装着兼締結用ネジユニット及びこれを備える装着兼締結用ネジモジュールは、自転車、自動二輪車、自動車等の運転等の際の安全性、便利性、快適性等を促進することができる。
【発明を実施するための最良の形態】
【００１６】
以下、適宜図面を参照しつつ本発明の実施の形態を詳説する。図１は本発明の一実施形態に係る装着兼締結用ネジユニットを示す正面図、図２は図１の装着兼締結用ネジユニットの中央縦断面図、図３及び図４は図１の装着兼締結用ネジユニットを備え、締結個所に照明機器を装着するための装着兼締結用ネジモジュールを示す分解斜視図及び完成斜視図である。
【００１７】
図１及び図２の装着兼締結用ネジユニットは、締結用ネジ１と装着用ネジ２とを備えている。
【００１８】
締結用ネジ１は、雄ネジ部３からなる軸部と、この軸部の後端に付設される頭部４と、この頭部４に凹設される雌ネジ部５及び掛合孔６とを有している。
【００１９】
雄ネジ部３は、円柱体の外面にネジ山７が一定のピッチＰ１で螺旋状に形成された一般的な雄ネジであり、締結回転方向（右ネジ又は左ネジの別）は問わない。このネジ山７の断面形状は、特に限定されず、三角ネジ、角ネジ、台形ネジ、鋸歯ネジ、丸ネジ等が適宜採用される。
【００２０】
頭部４は、雄ネジ部３のネジ径Ｄ１よりも外径が大きい円筒状のものであり、雄ネジ部３と同軸上に形成されている。つまり、雄ネジ部３と頭部４の中心軸が一致している。この頭部４は、雌ネジ部５を有する後端側の径が大きく、掛合孔６を有する先端側の径が小さく２段に形成され、その２段の間に部分円錐状のテーパー面が形成されている。
【００２１】
雌ネジ部５は、頭部４の後端側に形成されており、雄ネジ部３と同軸上に形成されている。この雌ネジ部５は、円筒状の頭部４の後端側の内面にネジ溝が一定ピッチで螺旋状に形成された一般的な雌ネジである。
【００２２】
掛合孔６は、正六角柱状の孔であり、断面が正六角形のレンチを挿入して当該締結用ネジ１を回転させ、当該締結用ネジ１を他の雌ネジ、ナット等に螺合させ、対象物を締結するためのものである。この掛合孔６は、頭部４における雌ネジ部５の先端側、つまり雌ネジ部５の底部に形成されており、雄ネジ部３及び雌ネジ部５と同軸上に形成されている。この掛合孔６の対角寸法は、雌ネジ部５の内径よりも小さく形成され、レンチの挿入を可能としている。
【００２３】
装着用ネジ２は、雄ネジ部８からなる軸部と、この軸部の後端に付設される頭部９と、この頭部９に凹設される掛合孔１０とを有している。
【００２４】
雄ネジ部８は、円柱体の外面にネジ山１１が一定のピッチＰ２で螺旋状に形成された一般的な雄ネジであり、締結用ネジ１の雌ネジ部５に螺合するよう構成されている。このネジ山１１の断面形状は、上記ネジ山７と同様である。この雄ネジ部８の締結回転方向は、問わないが、上記締結用ネジ１の雄ネジ部３の締結回転方向と一致させる。このように装着用ネジ２の雄ネジ部８の締結回転方向を締結用ネジ１の雄ネジ部３の締結回転方向と同じにすることで、装着用ネジ２を締結用ネジ１に螺合する際に締結用ネジ１の締結が緩んでしまうことを防止することができる。
【００２５】
頭部９は、雄ネジ部８のネジ径Ｄ２よりも外径が大きい円筒状のものであり、雄ネジ部８と同軸上に形成されている。つまり、雄ネジ部８と頭部９の中心軸が一致している。この頭部９の外径は、締結用ネジ１の頭部４の外径と略同一に形成されている。
【００２６】
掛合孔１０は、正六角柱状の孔であり、断面が正六角形のレンチを挿入して当該装着用ネジ２を回転させ、当該装着用ネジ２を締結用ネジ１の雌ネジ部５に螺合させるためのものである。この掛合孔１０は、頭部９の後端の中央部に凹設されており、雄ネジ部８と同軸上に形成されている。この掛合孔１０の寸法は、締結用ネジ１と装着用ネジ２が同じレンチで回転できるよう上記掛合孔６の寸法と同様にされている。
【００２７】
当該装着兼締結用ネジユニットの材料としては、各部材に必要とされる強度が保持できれば特に限定されるものではなく、例えば（ａ）鉄、鋼、銅、銅合金、アルミニウム、アルミニウム合金、チタン、チタン合金等の金属や、（ｂ）ポリエチレンテレフタレート、ポリエチレンナフタレート、アクリル樹脂、ポリカーボネート、ポリスチレン、ポリオレフィン、セルロースアセテート、耐候性塩化ビニル等の合成樹脂が使用される。中でも、高い強度及び耐候性が必要とされる締結用ネジ１の材料としてはアルミニウム合金、銅合金、ステンレス鋼等が好ましく、装着用ネジ２の材料としては軽量で耐候性が高い耐候性塩化ビニル、ポリカーボネート、ポリエチレンテレフタレート等が好適に用いられる。
【００２８】
当該装着兼締結用ネジユニットは、雄ネジ部３（軸部）及び頭部４を有する締結用ネジ１を例えばステムのハンドル連結部分にねじ込むことで、ハンドル等の対象物を締結することができる。また、当該装着兼締結用ネジユニットは、締結用ネジ１に加えて雄ネジ部８（軸部）及び頭部９を有する装着用ネジ２を備え、この装着用ネジ２の雄ネジ部８を締結用ネジ１の雌ネジ部５に螺合することで、締結用ネジ１の頭部４と装着用ネジ２の頭部９との間に他物又はその取付機構を挟持することができ、その結果締結個所への他物の装着が可能になる。
【００２９】
さらに、当該装着兼締結用ネジユニットは、締結用ネジ１の雄ネジ部３（軸部）と雌ネジ部５とを同軸上に形成することで、螺合する締結用ネジ１と装着用ネジ２とが同軸になる結果、通常の締結個所に当該装着兼締結用ネジユニットが適用でき、また他物の装着も容易かつ確実になる。また、当該装着兼締結用ネジユニットは、締結用ネジ１の頭部４における雌ネジ部５の底部に回転用の掛合孔６を有することから、レンチを挿入する掛合孔６より大きい範囲で締結用ネジ１の雌ネジ部５及び装着用ネジ２の雄ネジ部８のネジ径を自由に設計することができ、装着用ネジ２の締結を容易かつ確実にすることができる。
【００３０】
締結用ネジ１の雄ネジ部３のピッチＰ１は、装着用ネジ２の雄ネジ部８のピッチＰ２より小さく形成することが好ましい。このように締結用ネジ１の雄ネジ部３のピッチＰ１を装着用ネジ２の雄ネジ部８のピッチＰ２より小さくすることで、他物の脱着の際に、締結用ネジ１の雌ネジ部５に装着用ネジ２の雄ネジ部８を螺入又は螺脱しても、締結用ネジ１による締結力が変化してしまうこと（締結用ネジ１が緩んだり、締め付け過ぎてしまうこと）が抑制される。
【００３１】
締結用ネジ１の雄ネジ部３のピッチＰ１及び装着用ネジ２の雄ネジ部８のピッチＰ２の具体的な数値は、特に限定されず、対象物の締結に必要な締結力等を考慮して適宜選定すればよい。例えば、締結用ネジ１の雄ネジ部３のピッチＰ１としては、０．７ｍｍ以上１．５ｍｍ以下が好ましく、自転車等のハンドルの締結の場合には０．８ｍｍ以上１．２５ｍｍ以下が特に好ましい。一方、装着用ネジ２の雄ネジ部８のピッチＰ２としては、０．８ｍｍ以上１．７５ｍｍ以下が好ましく、１ｍｍ以上１．５ｍｍ以下が特に好ましい。
【００３２】
締結用ネジ１の雄ネジ部３の長さは、装着用ネジ２の雄ネジ部８の長さより大きく形成することが好ましい。このように締結用ネジ１の雄ネジ部３の長さを装着用ネジ２の雄ネジ部８の長さより大きくすることで、締結用ネジ１の雌ネジ部５に装着用ネジ２の雄ネジ部８を螺入又は螺脱しても、締結用ネジ１による締結力が変化してしまうことが抑制される。
【００３３】
締結用ネジ１の雄ネジ部３及び装着用ネジ２の雄ネジ部８の長さの具体的な数値は、特に限定されず、対象物の締結に必要な締結力等を考慮して適宜選定すればよい。例えば、締結用ネジ１の雄ネジ部３の長さとしては、２０ｍｍ以上３０ｍｍ以下が好ましく、自転車等のハンドルの締結の場合には２３ｍｍ以上２７ｍｍ以下が特に好ましい。一方、装着用ネジ２の雄ネジ部８の長さとしては、５ｍｍ以上１５ｍｍ以下が好ましく、８ｍｍ以上１２ｍｍ以下が特に好ましい。
【００３４】
装着用ネジ２の雄ネジ部８のネジ径Ｄ２は、締結用ネジ１の雄ネジ部３のネジ径Ｄ１より大きく形成することが好ましい。このように装着用ネジ２の雄ネジ部８のネジ径Ｄ２を締結用ネジ１の雄ネジ部３のネジ径Ｄ１より大きくすることで、上述のように締結用ネジ１の雌ネジ部５のピッチＰ１を装着用ネジ２の雄ネジ部８のピッチＰ２よりも小さくし、かつ雄ネジ部３の長さを雄ネジ部８の長さより大きくしても、装着用ネジ２の雄ネジ部８の螺入による締結力を確保することができる。
【００３５】
締結用ネジ１の雄ネジ部３のネジ径Ｄ１及び装着用ネジ２の雄ネジ部８のネジ径Ｄ２の具体的な数値は、特に限定されず、対象物の締結に必要な締結力等を考慮して適宜選定すればよい。例えば、締結用ネジ１の雄ネジ部３のネジ径Ｄ１としては、４ｍｍ以上１０ｍｍ以下が好ましく、自転車等のハンドルの締結の場合には５ｍｍ以上８ｍｍ以下が特に好ましい。一方、装着用ネジ２の雄ネジ部８のネジ径Ｄ２としては、５ｍｍ以上１２ｍｍ以下が好ましく、６ｍｍ以上１０ｍｍ以下が特に好ましい。
【００３６】
図３及び図４の装着兼締結用ネジモジュールは、自転車等のステムＸにハンドルＹを締結し、その締結個所に照明機器Ａを取り付けるためのものである。当該装着兼締結用ネジモジュールは、一対の当該装着兼締結用ネジユニットとポータブル機器用取付台２１とを備えている。
【００３７】
自転車等のステムＸの先端には、通常、ハンドルＹを垂直（Ｔ字状）に取り付けるためのハンドル取付機構５０を備えている。このハンドル取付機構５０は、半円筒状の受け部５１、この受け部５１に対向して配設される半円筒状の押さえ部５２、受け部５１の両側に配設される一対のナット部、及び押さえ部５２の両側に配設され、一対のナット部に合致する一対のボルト貫通孔５３を有している。
【００３８】
ポータブル機器用取付台２１は、照明機器Ａを取り付けるためものであり、基台２２、この基台２２の前後に配設され、装着用ネジ２の軸部を挿入する一対のネジ貫通孔２３、基台２２の左右両側から垂設され、照明機器Ａの左右に突出する係合軸６０を回転可能に軸支する一対のリング状取付片２４及び軸支した係合軸６０に被せられる一対のキャップ２５を備えている。
【００３９】
当該装着兼締結用ネジモジュールは、ハンドルＹをステムＸの先端の受け部５１に装着し、さらに押さえ部５２をハンドルＹに被せ、一対の締結用ネジ１を一対のボルト貫通孔５３に通し、一対のナット部にネジ込むことで、ステムＸにハンドルＹを締結することができる。
【００４０】
また、当該装着兼締結用ネジモジュールは、一対の装着用ネジ２を基台２２の一対のネジ貫通孔２３に通し、ステムＸ先端に螺合した一対の締結用ネジ１の雌ネジ部５にネジ込むことで、締結用ネジ１の頭部４と装着用ネジ２の頭部９との間にポータブル機器用取付台２１を挟持することができる。このポータブル機器用取付台２１の一対のリング状取付片２４に照明機器Ａの左右の係合軸６０を嵌合させ、この係合軸６０の両端に脱落防止用の一対のキャップ２５を付設することで、照明機器Ａが上下に回転可能に軸支され、ハンドルＹの締結個所に照明機器Ａを容易かつ確実に取り付けることができる。
【００４１】
なお、本発明の装着兼締結用ネジユニット及びこれを備える装着兼締結用ネジモジュールは上記実施形態に限定されるものではない。例えば、締結用ネジの軸部及び装着用ネジの軸部は、雄ネジ部に加えて雄ネジが形成されていない円筒部を有してもよい。
【００４２】
また、締結用ネジの回転用掛合孔は、頭部の後端側、つまり雌ネジ部より後端側に配設されてもよく、雌ネジ部と共用するよう内面に雌ネジを形成することも可能である。このように締結用ネジの掛合孔と雌ネジ部とを共用する場合、雌ネジ部のネジ径（ネジ溝径）が掛合孔の二面幅より大きく、雌ネジ部のネジ山径（最内径）が掛合孔の対角寸法より小さくする必要がある。
【００４３】
さらに、締結用ネジの掛合孔及び装着用ネジの掛合孔は、上記六角孔に限定されず、その他の四角孔、ヘクスローブ孔、十字孔、すりわり等でも可能である。また、これらの掛合孔を設けず、頭部を六角柱形、四角柱形等に形成することも可能である。
【００４４】
また、ポータブル機器用取付台は、上記照明機器の左右支持用のものに限定されるものではなく、装着するポータブル機器の種類、取付方法等に合わせて適宜設計することができる。
【産業上の利用可能性】
【００４５】
以上のように、本発明の装着兼締結用ネジユニット及びこれを用いる装着兼締結用ネジモジュールは、例えば照明機器、携帯電話、ＰＤＡ、トランシーバー、ナビゲーション装置、各種アクセサリー機器（例えば携帯用空気入れ等）等の小型軽量ポータブル機器の取付装置として有用であり、特に自転車、自動二輪車、自動車等及びこれらの付属部品への取り付けに適している。
【図面の簡単な説明】
【００４６】
【図１】本発明の一実施形態に係る装着兼締結用ネジユニットを示す正面図
【図２】図１の装着兼締結用ネジユニットの中央縦断面図
【図３】図１の装着兼締結用ネジユニットを備え、締結個所に照明機器を装着するための装着兼締結用ネジモジュールを示す分解斜視図
【図４】図１の装着兼締結用ネジユニットを備え、締結個所に照明機器を装着するための装着兼締結用ネジモジュールを示す完成斜視図
【符号の説明】
【００４７】
１  締結用ネジ
２  装着用ネジ
３  雄ネジ部
４  頭部
５  雌ネジ部
６  掛合孔
７  ネジ山
８  雄ネジ部
９  頭部
１０  掛合孔
１１  ネジ山
２１  ポータブル機器用取付台
２２  基台
２３  ネジ貫通孔
２４  リング状取付片
２５  キャップ
５０  ハンドル取付機構
５１  受け部
５２  押さえ部
５３  ボルト貫通孔
６０  係合軸
Ａ  照明機器
Ｘ  ステム
Ｙ  ハンドル
【図１】
2009275867.tif 000003
【図２】
2009275867.tif 000004
【図３】
2009275867.tif 000005
【図４】
2009275867.tif 000006